(57)【特許請求の範囲】
【請求項１】
カメラ機器のためのブラケット（１）であって、
壁掛け具（２）と、
前記壁掛け具（２）から延在するアーム（６）と、
前記アーム（６）によって支持されたカメラ架台（８）と、
前記カメラ架台（８）を調整済の角度位置に係止するための係止要素（２２、２４、２６）とを備え、前記カメラ架台（８）の角度位置は、
前記アーム（６）内に設けられたソケット（２０）と、
前記ソケット（２０）内に載置され、各々にテーパ部分を有する２つの部材（１２’、１２”）で構成された第１部材（１２）と、
組み立てられた状態では、前記第１部材（１２）の前記２つの部材（１２’、１２”）で挟まれるとともに囲まれ、前記カメラ架台（８）と一体的に形成された第２部材（１４）とを備えた、枢軸機構（１０）を用いてチルト及びパンにより調整可能であり、
前記ソケット（２０）と前記第１部材（１２）は、パン軸（５０）の周囲を回転可能なパン継手（４０）を形成し、
前記第１部材（１２）と前記第２部材（１４）は、チルト軸（５２）の周囲を回転可能なチルト継手（４２）を形成し、
前記係止要素（２２、２４、２６）は、前記第２部材（１４）に取り付けられた第１のねじ部材（２４）と、前記ソケット（２０）に取り付けられた第２のねじ部材（２２）とを有し、作動されたときに、前記第１のねじ部材（２４）と前記第２のねじ部材（２２）との係合量が増すことによって、前記第１部材（１２）の前記テーパ部分の作用により、前記第１部材（１２）を前記ソケット（２０）に押圧して、前記パン軸（５０）の周囲の前記パン継手（４０）の角度位置を係止し、同時に、前記第１部材（１２）に囲まれた前記第２部材（１４）を拘束して前記チルト軸（５２）の周囲の前記チルト継手（４２）の角度位置を係止するよう配設されている、ブラケット（１）。
【請求項２】
前記カメラ架台（８）は取付平面（９）を有しており、前記チルト軸（５２）は前記カメラ架台の前記取付平面（９）に平行に延在し、前記パン軸（５０）は前記チルト軸（５２）に直交する、請求項１に記載のブラケット。
【請求項３】
前記係止要素（２２、２４、２６）は、前記ソケット（２０）の底を貫通して延在するネジを備え、前記係止要素（２２、２４、２６）は、前記ネジを締め付けることにより、前記第１部材（１２）が前記ソケット（２０）に押圧されることによって、前記カメラ架台（８）を調整済の角度位置に係止するよう配設されている、請求項１に記載のブラケット（１）。
【請求項４】
前記第１部材（１２）は、前記ソケット（２０）の台座に取り付けられるキャップ形状部（１６）、及び、前記ソケット（２０）内に伸びる伸長部分を有し前記ソケット（２０）と協働して前記第１部材（１２）の前記ソケット（２０）に対するチルト動作を防止する凸部（３２）を備える、請求項１から３のいずれか一項に記載のブラケット（１）。
【請求項５】
前記ソケット（２０）の台座（１８）は円錐台形に成形されている、請求項４に記載のブラケット（１）。
【請求項６】
前記第１部材（１２）の前記キャップ形状部（１６）は円錐台形に成形されている、請求項４又は５に記載のブラケット（１）。
【請求項７】
前記ソケット（２０）の前記台座（１８）の形状は、前記第１部材（１２）の前記キャップ形状部（１６）の前記形状と相補的である、請求項４から６のいずれか一項に記載のブラケット（１）。
【請求項８】
前記凸部（３２）は円筒状に成形されており、前記ソケット（２０）の相補的に成形された空洞部内に延在している、請求項４から７のいずれか一項に記載のブラケット（１）。
【請求項９】
前記チルト継手（４２）はシャフト（３６）及び軸受（３８）機構を備える、請求項１から８のいずれか一項に記載のブラケット。
【請求項１０】
前記壁掛け具（２）、前記アーム（６）及び前記カメラ架台（８）は、カメラへのケーブルを前記ブラケット（１）の内部に取り付けることを可能にするための空洞部を備える、請求項１から９のいずれか一項に記載のブラケット（１）。
【請求項１１】
カメラシステムであって、
請求項１から１０のいずれか一項に記載の前記ブラケット（１）、及び、前記ブラケット（１）によって支持されたカメラを備える、カメラシステム。
【発明の詳細な説明】
【技術分野】
【０００１】
本発明は、カメラ機器及びカメラシステムのためのブラケットに関する。
【０００２】
状況を監視するためのカメラは、往々にして、商店、住居の内部及び外部のような様々な環境、並びに、街路、駐車場及び公園といった屋外環境にある。かかる目的及びその他の目的のために、カメラは、例えば建造物の壁面又は柱に、ブラケットを用いて取り付けられる。
【０００３】
文献ＥＰ０９９０８３３は、カメラブラケットを開示している。かかるカメラブラケットは、耐候性に関して問題があること、及び、調整並びに据付が不確実になることがある。
【０００４】
カメラは、例えば鳥又は気象外力によって、その調整済位置の外へと無作為に動かないように、安定的に取り付けられることが望ましい。更に、カメラは効率的に調整可能であり、ゆえに、カメラを所望の方向に効率的に方向付ける可能性を提供することが望ましい。
【発明の概要】
【０００５】
本発明の一つの目的は、カメラのための効率的なブラケットを提供することである。本発明の別の目的は、既存技術に関する問題の解決策、又は、既存技術の改良版を提供することであり、かかる解決策或いは改良版の結果として、ブラケットの耐候性の改善、及び／又は、ブラケット上に取り付けられたカメラのより効率的な調整が得られる。
【０００６】
発明の第１態様により、上記の目的及び他の目的は、壁掛け具、壁掛け具から延在するアーム、アームによって支持された調整可能なカメラ架台、及び、カメラ架台を調整済位置に係止するための係止要素を備える、カメラ機器のためのブラケットによって達成可能であり、カメラ架台は、枢軸機構を用いてチルトとパンにより調整可能である。枢軸機構は、アーム内に設けられたソケット、ソケット内に載置された第１部材、及び、第１部材に囲まれた第２部材を備え、第２部材は、前記カメラ架台と一体的に形成され、ソケットと第１部材は、パン軸の周囲を回転可能なパン継手を形成し、かつ、第１部材と第２部材は、チルト軸の周囲を回転可能なチルト継手を形成する。
【０００７】
パン継手とチルト継手を有することで、例えば、チルトによる調整はパンによる調整に対して独立的に実行されうることから、効率的な調整を可能にする。更に、明確に定義された２つの軸を有し、かかる軸を中心とする動作を実現することは、それが予想可能な動作をもたらすという利点となる。カメラ架台は、パン軸とチルト軸以外の軸を中心とするカメラ架台の動作を限定し、又は防止するが、このことは例えば、不確定な数の軸を中心とする動作を可能にすることによって、動作に予測不可能性を導入する玉継手を有することに勝る利点である。
【０００８】
枢軸機構を用いて、チルトとパンにより調整可能であるカメラ架台は、カメラ架台に取り付けられたカメラの視野方向を効率的に調節できる。
【０００９】
更に、ソケット内に載置された第１部材と、第１部材に囲まれた第２部材を備える枢軸機構は、ブラケットの内部を露出させる、いかなる開口部も有しない構造を可能にすることによって、信頼性の高い耐候性をもたらすことができる。
【００１０】
一実施形態により、カメラ架台は取付平面を有し、チルト軸はカメラ架台の取付平面に平行に延在し、パン軸はチルト軸に直交する。ゆえに、例えば、ブラケットに取り付けられたカメラ機器によって捕捉された、水平方向に並んだ複数の画像が実現しうる。
【００１１】
一実施形態により、係止要素は、係止状態になると、パン継手のある位置を係止するために、かつ、チルト継手の位置を係止するよう、第１部材に囲まれた第２部材上で作用する係止力を生成するために、第１部材をソケットに押圧するよう配設される。ゆえに、パン継手の位置とチルト継手の位置の両方の効率的な係止が、単一の係止要素によって達成されうる。
【００１２】
一実施形態により、係止部材は、ソケットの底を貫通して延在するネジを備え、それによって係止部材は、カメラ架台を調整済位置に係止するよう配設され、ネジを締め付けることにより、第１部材はソケットに押圧されることになる。
【００１３】
一実施形態により、第１部材は、第１部材のソケットに対するチルトを防止するために、ソケット内に載置されたキャップ形状部、及び、ソケット内に伸長部分を有し、それと協働する凸部を備える。ゆえに、パン継手を用いて効率的なパン調整が達成され、かつ、チルト継手を用いて効率的なチルト調整が達成される。
【００１４】
一実施形態により、ソケットの台座は円錐台形に成形される。かかる円錐台形状を有することで、パン軸の周囲の効率的な動作が達成される。更に、かかる円錐台形状を有することで、カメラ架台の調整済位置での効率的な係止が実現する。
【００１５】
一実施形態により、第１部材のキャップ形状部は円錐台形に成形される。ゆえに、パン軸の周囲の効率的な回転が達成される。更に、かかる円錐台形状を有することで、例えば、円錐台形状によって第１部材が、第１部材に囲まれている第２部材上での押し付け動作を実行することが可能になることから、カメラ架台の調整済位置での効率的な係止が実現する。
【００１６】
一実施形態により、ソケットの台座の形状は、第１部材のキャップ形状部の形状と相補的なものである。
【００１７】
一実施形態により、凸部は円筒状に成形され、かつ、ソケットの円筒状に成形された空洞部内に延在する。ゆえに、パン軸を中心とする効率的な回転が達成される。
【００１８】
一実施形態により、凸部は、円柱状に成形され、かつ、ソケットの相補的に成形された空洞部内に延在する。
【００１９】
一実施形態により、第１部材は、組み立てられた状態では、第２部材を囲むよう配設される２つの部分で形成される。第１部材が２つの部分で形成されることで、ブラケットの組立が効率的になり、かつ、第１部材は効率的に第２部材を囲みうる。更に、第１部材に囲まれた第２部材上で作用する係止力が、効率的に達成される。
【００２０】
一実施形態により、チルト継手はシャフト及び軸受機構を備える。
【００２１】
一実施形態により、壁掛け具、アーム及びカメラ架台は、カメラ機器へのケーブルをブラケットの内部に取り付けることを可能にするための空洞部を備える。ゆえに、ケーブルは、壁板からカメラ架台上に取り付けられたカメラ機器へと延在しうる。ゆえに、ブラケット上に取り付けられたカメラ機器へのあらゆるケーブルが、周囲条件、天候、事故又は破壊行為などから保護される。
【００２２】
本発明の別の態様により、本発明の第１の態様によるブラケット、及びブラケットに支持されたカメラを備える、カメラシステムが提供される。
【００２３】
概して、特許請求の範囲において使用される用語は全て、本書に明示的に異なって定義されない限り、当該技術分野におけるそれらの通常の意味に照らして解釈されるべきである。「一／前記（要素、装置、構成要素、手段、ステップ等）」という表現は全て、明示的に異なって記されない限り、かかる要素、装置、構成要素、手段、ステップ等の少なくとも一例を表すと、広く解釈されるべきである。本書で開示されているいかなる方法のステップも、明示的に記されない限り、開示されているままの順番で実行されなくてはならないという訳ではない。  
【図面の簡単な説明】
【００２４】
【図１】一実施形態による、カメラのためのブラケットを示す。
【図２】図１に示す実施形態による、カメラのためのブラケットの分解図である。
【図３】図１に示す実施形態による、壁掛け具に向かう方向でブラケットのアームに沿って見た、カメラのためのブラケットの正面図である。
【図４】図１に示す実施形態による、カメラのためのブラケットの側面図である。
【図５】図１に示す実施形態による、カメラのためのブラケットの上面図である。
【図６】図１に示す実施形態による、カメラのためのブラケットの底面図である。
【発明を実施するための形態】
【００２５】
発明の実施形態を示す添付図面を参照して、本発明についてより詳細に説明する。しかし発明は、多くの異なる形態において実施可能であり、発明の徹底性及び完全性を示すために本書で詳細に説明される実施形態に限定されると解釈されるべきではない。
【００２６】
図１では、一実施形態によるカメラ機器のためのブラケット１が示される。図１には、ブラケットの特定の構成要素又は詳細は視覚化されておらず、図２の表示によって、図１に関する説明が明白になりうる。ブラケット１は、任意の適切な材料で作製され、例えば、ブラケット１に耐久性を与えかつ大量生産に適する適切な材料である、金属又はポリマー材で作製されうる。
【００２７】
ブラケット１は屋外又は屋内で使用される。ブラケット１は、ブラケットを、壁面又は他の適切な表面、或いは、例として柱、ポール、天井又は配管ボックスなどの物体に付設するために使用される壁掛け具２を有する。図１から図４に示す壁掛け具２は、ブラケット１の平面状表面への取付に適する。ブラケット１の非平面状表面への取付は、適切な改造により実現される。代替的には、非平面状表面への取付に関して、壁掛け具は、非平面状表面に取り付けられる適切なアダプタに取り付けられる。かかるアダプタは、ブラケット１の壁掛け具２が取り付けられる平面状表面、及び、ブラケットが取り付けられるべき非平面状表面に適合した非平面状表面を有する。壁面などへの付設は、例えば、第１取付孔４を貫通するネジ又はボルトといった固定手段を用いて、適切に実現される。壁面などへの付設は遊離可能な付設であり、また、固定手段に代わる、或いは追加的な付設が、例えば接着又は溶接によって行われる。アーム６は壁掛け具２から延在し、調整可能なカメラ架台８を支持する。任意の適切な種類のカメラ機器（図示せず）が、カメラ架台８に取り付けられる。カメラ機器により、任意の適切な監視用カメラ、及び／又はカメラハウジングが意図されている。アーム６は更に、カメラと壁掛け具２の間に間隔を設け、それにより、例えばカメラへの調整がより容易になり、カメラのパンとチルトの自由度が高まる。
【００２８】
カメラ架台８は、枢軸機構１０を用いてチルト及びパンにより調整可能であり、カメラ機器が所望の位置に調整されると、その位置を係止するために係止要素２２、２４、２６（図１には示していないが図２には示す）が使用される。枢軸機構１０は、アーム６内に設けられたソケット２０を備え、かかるソケット内には、第１部材１２が載置されて、パン軸５０の周囲を回転可能なパン継手４０を形成する。ゆえに、カメラ架台８上に取り付けられたカメラ機器のパンが可能になる。図１から分かるように、第１部材１２は、少なくとも部分的に、カメラ架台８と一体的に形成された第２部材１４を囲む。第１部材と第２部材は共に、チルト軸５２の周囲を回転可能なチルト継手４２を形成する。パン軸５０及びチルト軸５２は、図３に図示されていることに留意されたい。ゆえに、カメラ架台８上に取り付けられたカメラのチルトが可能になる。壁面などに付設されたブラケット上に取り付けられた時、カメラ機器は、係止要素が非係止状態であれば、チルト軸５２の周囲をチルトすること、及び、パン軸５０の周囲をパンすることにより調整されうる。明確に定義された２つの軸を有し、かかる軸を中心とする動作を実現することは、それが予想可能な動作をもたらすという利点となる。カメラ架台は、パン軸５０とチルト軸５２以外の軸を中心とする、カメラ架台の動作を限定し又は防止するが、このことは例えば、不確定な数の軸を中心とする動作を可能にすることによって、動作に予測不可能性を導入する玉継手を有することに勝る利点である。
【００２９】
この実施形態により、カメラ架台８は取付平面を有しており、チルト軸５２は取付平面に平行に延在し、パン軸５０はチルト軸５２に直交する。取付平面は、この実施例では、カメラ架台８の上端部を含む平面によって定義されうる。
【００３０】
実施形態により、カメラ架台は取付平面を有しており、チルト軸５２は取付平面に平行に延在し、パン軸５０はチルト軸５２に直交し、チルト軸５２が水平になるようにブラケットが取り付けられる限り、水平方向に並んだ複数の画像が実現しうることが理解されよう。
【００３１】
チルト継手４２とパン継手４０をそれぞれ用いてチルトとパンを可能にすることは、パンとチルトが別個の作動として行われ、例えばパン動作の最中に不測のチルトが生じるリスクが低減し、逆もまた真であることから、有益である。更に、効率的な水平パン動作が可能になる。
【００３２】
カメラ架台８は、例えば、カメラ架台の第２取付孔５を貫通するネジ又はボルトなどを用いて、カメラ機器を取り付けるよう配設される。カメラ架台８は、図１から図４に図示するように、平面を備える。代替的には、カメラ架台は、第２部材の上部にある孔部として実現可能であり、ネジを受容することが可能であり、或いは、カメラ又はカメラハウジングが取り付けられる第２部材の上部にネジが付設されうる。
【００３３】
係止要素２６、２２、２４（図１には図示せず）は、カメラ架台を調整済位置に係止するために使用される。係止要素は更に、図２を参照して説明される。
【００３４】
ゆえに、図１に示すブラケット１は、カメラを係止位置、及び、カメラ機器による監視が所望される種々の状況における、商業施設、住居、又は公園或いは街路といった公共区域の監視などの監視目的に適する位置に、効率的に保持しうる。
【００３５】
図２には、図１のブラケットの分解図が示されており、更に、図１を参照して説明された実施形態が明白に例示されている。図２より、この実施形態による枢軸機構の第１部材１２は、２つの部品１２’及び１２”で作られることが分かる。ブラケット１の一部、２つの部品１２’と１２”は、取り付けられた時、第２部材１４の少なくとも一部を囲む。第１部材１２はキャップ形状部１６を有する。この実施例では、２つの部品１２’と１２”の小区分１６’及び１６”は共にキャップ形状部１６を形成する。キャップ形状部１６は、相補的な形状のソケット２０の台座部１８内に載置されるよう配設される。
【００３６】
図２には、係止要素２６の実施例が示されている。この実施例による係止要素は、ネジ２２及びナット２４を有する。ネジ２２は、取り付けられた時、開口部を通過してアーム６の下面を貫通し、ソケット２０に至り、更に、第１部材１２の底部に回転しない様態で取り付けられたナット２４に至る。かかる係止要素を、第１部材１２のテーパリング又は例えば半球形状と共に有することで、係止要素が、この実施例ではネジ２２を締め付けることなどによって係止状態になると、第１部材１２をソケットの台座部１８に押圧することによってパン継手の位置を係止し、それに加えて、チルト継手の位置を係止するために第１部材１２に囲まれた第２部材１４上で作用する係止力を生成する。この実施例及び実施形態により、係止部材２２、２４を係止状態にすることは、ネジ２２を締め付けることで、第１部材がソケット２０に押圧されるようにすることによって行われる。図２に例示される実施形態では、第１部材１２は、第１部材１２と第２部材１４の間の係止状態を改善するための、中央から径方向に延在する歯部３０を有する。図２には図示されていないが、第２部材１４は歯部、又は、歯部３０と相補的な溝或いは凹所を有してもよい。ブラケットは、これらの歯部３０及び／又は溝なしで機能してもよい。第１部材１２は更に、取り付けられた時、ソケット内に延在することによって、第１部材１２のパン動作を可能にするがチルト動作を防止する凸部３２を有する。第１部材１２及び第２部材１４によって形成されたチルト継手４２は、チルト軸５２の周囲を回転可能であり、この実施形態により、シャフト３６及び軸受３８機構を備えることによって、係止機構が係止状態ではない時に、カメラ架台８のチルト動作が可能になる。係止機構が係止状態の時には、チルト動作は防止されることになる。
【００３７】
第１部材１２のキャップ形状部１６は歯部、例えばパン軸から径方向に延在する歯部を有し、ソケット２０の台座部１８は歯部、又はキャップ形状部の歯部と相補的な溝或いは凹所を有することができる。ゆえに、第１部材１２とソケット２０の間の係止状態の改善が実現する。ブラケットは、これらの歯部３０及び／又は溝なしで機能することもできる。
【００３８】
この実施例では、チルト継手はシャフト３６及び軸受３８機構を有する。シャフト３６は、図２では第２部材１４の一方の側からのみ視認可能であるが、第２部材１４の他方の側にもシャフト３６がある。更に、図２では視認できないが、第１部材１２の部品１２”は、軸受３８を有してもよい。シャフト３６は代替的に第１部材１２上に配設されてもよく、軸受３８が第２部材１４上に配設されてもよい。更に、チルト継手４２は、例えば、第２部材１４を囲む第１部材の相応形状部に組み合わされた円筒形状の第２部材によって、シャフト及び軸受機構なしでも機能しうることに留意されたい。別の実施形態により、シャフトは、チルト軸５２に沿って第１部材１２を貫通し、第２部材を貫通して延在するように設けられる。
【００３９】
係止要素２６を完全には締め付けないことで、例えばチルトによる調整がパンによる調整から独立して行われるように、第１部材とソケットの間、及び、第１部材と第２部材の間に適切な摩擦がもたらされる。
【００４０】
図２に図示されている実施形態により、第１部材のキャップ形状部１６は、取り付けられた時、ソケットの底に向かってテーパされた円錐台形状になることに留意されたい。かかる形状は、パン継手の効率的な係止とチルト継手の効率的な係止の両方を提供する。係止要素２６を係止状態にすることにより、第１部材１２のキャップ形状部１６は、ソケットの台座部１８に効率的に押圧されることになり、チルト継手の位置を係止するための、第１部材を囲む第２部材上で作用する効率的な係止力が生成される。
【００４１】
壁掛け具、アーム及びカメラ架台は、カメラ機器へのケーブルをブラケットの内部に取り付けることを可能にするための空洞部を備えてもよい。一実施形態により、また、図２に示されているように、ブラケットは更に、第１部材のソケットに対するパン動作を限定することによって、ケーブルが第１部材とアームの間に挟まれて損傷を受けることを防止するパン止め７０を含む。パン動作は、例えば１９０度に限定される。図２では、パン止め７０は、第１部材１２の第１凹所７１として図示されている。パン止め７０は更に、ソケット２０内に第１部材１２の第１凹所７１と相互作用する凸部を備える。
【００４２】
一実施形態により、キャップ形状部は、ソケットの底に向かう方向にテーパされうる。
【００４３】
第１部材のキャップ形状部１６は、円錐台形に成形され、テーパされた形状であり、半球形状であり、或いは、円錐形状である。
【００４４】
ソケットの台座は、円錐台形に成形され、テーパされた形状であり、半球形状であり、或いは、円錐形状である。
【００４５】
一実施形態により、係止機構２６はネジ２２及びナット２４を備える。ナット２４は、第１部材１２の底部に埋設されることがある。ナットは、例えば図５に示されるように、第１部材１２内のナットと相補的な形状を有する第２凹所８０内に配設される。係止機構２６は、目的に適した任意の種類のものであり、例えば、係止機構２６は代替的に、第１部材１２に付設されて配設されたネジ、及び、アームに当接してネジに締め付けられるよう配設されたナットと共に配設される。
【００４６】
係止要素は代替的にネジを備え、第１部材は、ネジと相補的なネジ山を有する凹所又は開口を備えることがある。かかる事例ではナットは必要ではない。
【００４７】
係止要素は代替的に、第１部材１２の底部に付設され、ソケット及びアームを通過してアームの外側に係止される要素を備えうる。この係止要素は例えば、急速係止解除串型要素でありうる。
【００４８】
図３と図４は、図１及び図２にそれぞれ示した、ブラケット１の正面図及び側面図を示す。パン軸５０とチルト軸５２のおおよその位置が、点線とクロス円によって図３及び図４に図示されている。
【００４９】
図５と図６は、ブラケットが壁面に取り付けられている時に、通常上側から見たブラケット１、及び、通常下側から見たブラケット１をそれぞれ示す。パン軸５０とチルト軸５２のおおよその位置が、点線とクロス円によって図３及び図４に図示されている。図３から図６に示すこの実施形態により、チルト軸５２とパン軸５０は直交していること、及び、チルト軸はカメラ架台８の取付平面９に平行であることに留意されたい。
【符号の説明】
【００５０】
１  ブラケット
２  壁掛け具
４  第１取付孔
５  第２取付孔
６  アーム
８  カメラ架台
９  取付平面
１０  枢軸機構
１２  第１部材
１４  第２部材
１６  キャップ形状部
１８  台座
２０  ソケット
２２  係止要素
２４  係止要素
２６  係止要素
３０  歯部
３２  凸部
３６  シャフト
３８  軸受
４０  パン継手
４２  チルト継手
５０  パン軸
５２  チルト軸
７０  パン止め
７１  第１凹所
８０  第２凹所
【図１】
0005993429.tif 000002
【図２】
0005993429.tif 000003
【図３】
0005993429.tif 000004
【図４】
0005993429.tif 000005
【図５】
0005993429.tif 000006
【図６】
0005993429.tif 000007